(57)【要約】【課題】奥行き寸法が異なる複数の書籍の背表紙を簡便に揃えることができる書籍前揃え装置及び書籍前揃え装置を備える書架を提供する。【解決手段】書架２の棚板８上に陳列された複数冊の書籍Ｂ，Ｂ，…の背表紙Ｂ１，Ｂ１，…の位置を揃える書籍前揃え装置１であって、棚板８の幅方向に所定の長さを有し、棚板８上を奥行方向に移動可能な前出し部材１１と、前出し部材１１より前方に前出し部材１１の長手方向の任意の位置に配置され、前出し部材１１を棚板８の奥行方向に往復移動可能とする操作部材１２と、棚板８の幅方向に所定の長さを有し、操作部材１２に当接した状態で操作部材を押すことが可能な押し戻し部材１３と、を備えている。【選択図】図３
2019083971.tif 000002
【特許請求の範囲】
【請求項１】
書架の棚板上に陳列された複数冊の書籍の背表紙の位置を揃える書籍前揃え装置であって、
前記棚板の幅方向に所定の長さを有し、前記棚板上を奥行方向に移動可能な前出し部材と、
前記前出し部材より前方に該前出し部材の長手方向の任意の位置に配置され、前記前出し部材を前記棚板の奥行方向に往復移動可能とする操作部材と、
前記棚板の幅方向に所定の長さを有し、前記操作部材に当接した状態で前記操作部材を押すことが可能な押し戻し部材と、
を備えていることを特徴とする書籍前揃え装置。
【請求項２】
前記押し戻し部材は、前記操作部材に係合可能であることを特徴とする請求項１に記載の書籍前揃え装置。
【請求項３】
前記押し戻し部材の長手方向の寸法が前記棚板の幅寸法とほぼ同寸に形成されていることを特徴とする請求項１または２に記載の書籍前揃え装置。
【請求項４】
前記操作部材は前記前出し部材に外嵌して係合されていることを特徴とする請求項１ないし３のいずれかに記載の書籍前揃え装置。
【請求項５】
前記操作部材は、前記前出し部材の長手方向に離間して複数配置され、該前出し部材の長手方向に位置調整可能に係合されていることを特徴とする請求項４に記載の書籍前揃え装置。
【請求項６】
前記操作部材は、前記棚板の奥行方向に延びる板体により主に構成されていることを特徴とする請求項１ないし５のいずれかに記載の書籍前揃え装置。
【請求項７】
前記操作部材は、棒状の部材で主に構成されていることを特徴とする請求項１ないし５のいずれかに記載の書籍前揃え装置。
【請求項８】
前記前出し部材の長手方向の寸法が前記棚板の両端部に配置される側板同士の距離とほぼ同寸に形成されていることを特徴とする請求項１ないし７のいずれかに記載の書籍前揃え装置。
【請求項９】
棚板上に複数冊の書籍が陳列される書架であって、
前記棚板の幅方向に所定の長さを有し、前記棚板上を奥行方向に移動可能な前出し部材と、前記前出し部材より前方に該前出し部材の長手方向の任意の位置に配置され、前記前出し部材を前記棚板の奥行方向に往復移動可能とする操作部材と、を備える書籍前揃え装置が前記棚板上に配置されてなるとともに、前記棚板の幅方向に所定の長さを有する可能な押し戻し部材を、前記操作部材に当接させた状態で前記操作部材を押すことが可能となっていることを特徴とする書籍前揃え装置を備える書架。
【発明の詳細な説明】
【技術分野】
【０００１】
本発明は、書架の棚板上に陳列された複数冊の書籍の背表紙の位置を揃える書籍前揃え装置及び書籍前揃え装置を備える書架に関する。
【背景技術】
【０００２】
従来、図書館等の施設では、設置された書架の棚板上に複数冊の書籍が陳列されている。これらの書籍は、利用者が出し入れする度に背表紙の位置が乱れてしまい、背表紙を確認し難くなる問題や、書籍を取り出し難くなる問題等がある。そのため、施設の従業員は、書架の棚板上に陳列された複数冊の書籍の背表紙の位置を手作業で揃える、所謂前揃え作業を定期的に行っている。
【０００３】
このような前揃え作業を簡便にするための装置としては、例えば特許文献１に示されるように、スーパーマーケット等において商品を陳列する陳列棚において用いられ、物品を前出しする装置（前送り装置）がある。この装置は、所定の幅方向の寸法を備えて棚板の上に自立するパネル体と、このパネル体の下部に設けられた通孔と、その通孔に差込み可能な鈎状の先端部を有する引き棒とを有しており、引き棒の先端部を通孔に差込み、パネル体を棚板の手前側に引き出すことで、複数の物品を棚板の手前側に前出しすることができる。
【０００４】
このような装置は、複数の物品を棚板の手前側に同時に前出しすることができるものの、書籍のように複数の物品の奥行き寸法が異なる場合には、物品の手前側の端部は別途手作業で揃える作業が必要となり、前揃え作業を十分に簡便にできたとはいえないという問題がある。
【０００５】
また、例えば特許文献２に示される装置は、棒状の本体の一端部が把持部とされ、他端部が該他端部を棒状の本体に対し略直角に折り曲げた形状の図書当接部とされた図書揃え具により、書籍を手前側に掻き出すことができるものであり、奥行き寸法の異なる書籍を１つずつ手前側に移動させ、これらを前揃えする装置である。更に、この装置は、図書背表紙当り桟なる部材を棚板の手前側端部に取付けることで、複数の書籍を同時に手前側に掻き出し、これら複数の書籍の背表紙を揃えることができるようになっている。
【先行技術文献】
【特許文献】
【０００６】
【特許文献１】特開平８−１０１０７号公報（第２頁、第１図）
【特許文献２】特開２００３−３３０８３１号公報（第３頁、第７図）
【発明の概要】
【発明が解決しようとする課題】
【０００７】
しかしながら、特許文献２にあっては、奥行き寸法が異なる複数の書籍の背表紙を揃えることができる反面、前出しする複数の書籍の中に奥行き寸法が異なる書籍が含まれる場合、当該書籍を単体で手前側に移動させる必要があるため、前揃え作業における前出し作業が依然として煩雑であるという問題があった。
【０００８】
本発明は、このような問題点に着目してなされたもので、奥行き寸法が異なる複数の書籍の背表紙を簡便に揃えることができる書籍前揃え装置及び書籍前揃え装置を備える書架を提供することを目的とする。
【課題を解決するための手段】
【０００９】
前記課題を解決するために、本発明の書籍前揃え装置は、
書架の棚板上に陳列された複数冊の書籍の背表紙の位置を揃える書籍前揃え装置であって、
前記棚板の幅方向に所定の長さを有し、前記棚板上を奥行方向に移動可能な前出し部材と、
前記前出し部材より前方に該前出し部材の長手方向の任意の位置に配置され、前記前出し部材を前記棚板の奥行方向に往復移動可能とする操作部材と、
前記棚板の幅方向に所定の長さを有し、前記操作部材に当接した状態で前記操作部材を押すことが可能な押し戻し部材と、
を備えていることを特徴としている。
この特徴によれば、操作部材を手前側に引き出すことで、棚板の幅方向に所定の長さを有する前出し部材が棚板の手前側に移動するのに伴い、奥行寸法の小さい書籍も含めて複数の書籍を一旦前出しさせ、その後、押し戻し部材を棚板の奥側に移動させることで、奥行き寸法が異なる複数冊の書籍の背表紙を押し戻し部材により同時に押して簡便に前揃えさせることができる。また、押し戻し部材は、操作部材に当接させることで、操作部材に沿う方向に複数の書籍を一度の操作で同時に押すことができ、複数の書籍の背表紙の位置を揃えることができる。
【００１０】
前記押し戻し部材は、前記操作部材に係合可能であることを特徴としている。
この特徴によれば、押し戻し部材と操作部材との位置関係が保持され、正確に複数の書籍を同時に押すことができるとともに、前出し作業には押し戻し部材を引くことで、複数の操作部材を同時に引き出すことができる。
【００１１】
前記押し戻し部材の長手方向の寸法が前記棚板の幅寸法とほぼ同寸に形成されていることを特徴としている。
この特徴によれば、棚板上の全ての書籍を一度に押すことができる。
【００１２】
前記操作部材は前記前出し部材に外嵌して係合されていることを特徴としている。
この特徴によれば、操作部材と前出し部材との相対的な水平方向の傾動が防止され、これら操作部材と前出し部材と押し戻し部材とによる略矩形状を維持した状態で、押し戻し部材を押すことができ、正確に複数の書籍を押すことができる。
【００１３】
前記操作部材は、前記前出し部材の長手方向に離間して複数配置され、該前出し部材の長手方向に位置調整可能に係合されていることを特徴としている。
この特徴によれば、押し戻し部材は、複数の操作部材に当接させることで、操作部材沿う方向に正確に複数の書籍を一度の操作で同時に押すことができ、複数の書籍の背表紙の位置を正確に揃えることができる。また、棚板上に陳列されている書籍の数や位置に応じて、前揃え作業しやすい位置に操作部材の位置を調整することができる。
【００１４】
前記操作部材は、前記棚板の奥行方向に延びる板体により主に構成されていることを特徴としている。
この特徴によれば、操作部材同士の間で書籍を挟持でき、前出し作業時や前揃え作業時に書籍が安定し、かかる作業を行い易い。
【００１５】
前記操作部材は、棒状の部材で主に構成されていることを特徴としている。
この特徴によれば、操作部材を直接持って引き出す場合に把持し易い。
【００１６】
前記前出し部材の長手方向の寸法が前記棚板の両端部に配置される側板同士の距離とほぼ同寸に形成されていることを特徴としている。
この特徴によれば、棚板上の全ての書籍を一度に前出しすることができる。
【００１７】
前記課題を解決するために、本発明の書籍前揃え装置を備える書架は、
棚板上に複数冊の書籍が陳列される書架であって、
前記棚板の幅方向に所定の長さを有し、前記棚板上を奥行方向に移動可能な前出し部材と、前記前出し部材より前方に該前出し部材の長手方向の任意の位置に配置され、前記前出し部材を前記棚板の奥行方向に往復移動可能とする操作部材と、を備える書籍前揃え装置が前記棚板上に配置されてなるとともに、前記棚板の幅方向に所定の長さを有する可能な押し戻し部材を、前記操作部材に当接させた状態で前記操作部材を押すことが可能となっていることを特徴としている。
この特徴によれば、操作部材を手前側に引き出すことで、棚板の幅方向に所定の長さを有する前出し部材が棚板の手前側に移動するのに伴い、奥行寸法の小さい書籍も含めて複数の書籍を一旦前出しさせ、その後、押し戻し部材を棚板の奥側に移動させることで、奥行き寸法が異なる複数冊の書籍の背表紙を押し戻し部材により同時に押して簡便に前揃えさせることができる。また、押し戻し部材は、操作部材に当接させることで、操作部材に沿う方向に複数の書籍を一度の操作で同時に押すことができ、複数の書籍の背表紙の位置を揃えることができる。
【図面の簡単な説明】
【００１８】
【図１】本発明の実施例１における書籍前揃え装置を備える書架を示す斜視図である。
【図２】棚段の固定構造を示す一部拡大分解斜視図である。
【図３】書籍前揃え装置を示す分解斜視図である。
【図４】操作部材と前出し部材の棚段への配置状態を示す側断面図である。
【図５】棚板に陳列された書籍の背表紙の位置が乱れている状態を示す平面図である。
【図６】押し戻し部材を操作部材の係合部に係合させる態様を示す図であり、（ａ）は、書籍を若干後方側に押した状態を示す図であり、（ｂ）は、押し戻し部材を操作部材の係合部に係合させた状態を示す図である。
【図７】前出し作業を示す図である。
【図８】前揃え作業を示す図である。
【図９】操作部材本体の手前側端縁に押し戻し部材を当接させた状態を示す図である。
【図１０】操作部材を格納させる様子を示す図である。
【図１１】実施例２における書籍前揃え装置の押し戻し部材を示す図である。
【図１２】押し戻し部材の変形例を示す斜視図である。
【発明を実施するための形態】
【００１９】
本発明に係る書籍前揃え装置及び書籍前揃え装置を備える書架を実施するための形態を実施例に基づいて以下に説明する。
【実施例１】
【００２０】
実施例１に係る書籍前揃え装置及び書籍前揃え装置を備える書架につき、図１から図１０を参照して説明する。以下、図４の紙面右側を書籍前揃え装置を備える書架の手前側（前方側）とし、紙面左側を書架の奥側（後方側）として説明する。
【００２１】
図１に示されるように、書籍前揃え装置１は、書架２の棚段３，３，…上に陳列された複数冊の書籍Ｂの背表紙Ｂ１の位置を揃える装置である。本実施例の書架２は、図書館等の施設で利用され、上下に複数の棚段３，３，…を備えている。
【００２２】
図１に示されるように、書架２は、左右に所定間隔離間して起立する一対の支柱４，４と、支柱４，４の上端部と下端部との対向面同士を連結している横連結杆５，５と、支柱４，４の前面に支持された上下複数段の棚段３，３，…と、から主に構成されており、各棚段３には書籍Ｂが陳列可能となっている。支柱４は、脚部６を有して自立可能となっているとともに、支柱４の前面４ａには、係合孔７，７，…が上下方向に多数並んで設けられている。
【００２３】
図２に示されるように、棚段３は、棚板８と、棚板８の幅方向両端部に固定された側板９，９と、から主に構成されている。側板９の後方側端部には、鈎状の係止片１０，１０，…が上下方向に形成されており、これら係止片１０，１０，…が支柱４の係合孔７，７，…に係合されて、側板９，９及び棚板８が支柱４，４の間に支持されている。
【００２４】
図３に示されるように、書籍前揃え装置１は、前出し部材１１と、操作部材１２と、押し戻し部材１３と、を備えて構成されている。前出し部材１１は、棚板８の上面８ａ（図１参照）の幅方向の寸法と略同寸の杆部材で構成されており、中空の断面視略矩形状となっている。
【００２５】
操作部材１２は、前出し部材１１の前面１１ａと後面１１ｂと上面１１ｃとに亘り外嵌し、係合する略下向きコ字状の連結部１４と、連結部１４の幅方向の略中央に固定され、手前側に直立して延設される板体よりなる操作部材本体１５と、から主に構成されている。
【００２６】
操作部材本体１５は、手前側の端部に、押し戻し部材１３が係合可能な係合部１６Ａと係合部１６Ｂが上下方向に所定距離離れて形成されている。係合部１６Ａは、操作部材本体１５の上端縁１５ａ側に開口するように鉛直方向に切り欠かれて形成されており、その下端部１７が円弧形状となっている。係合部１６Ｂは、操作部材本体１５の手前側端縁１５ｂ側に開口する水平部１８と、水平部１８の端部から鉛直方向下方に延びる鉛直部１９とから構成され、鉛直部１９の下端部２０が円弧形状となっている。尚、係合部１６Ａと係合部１６Ｂとは、操作部材本体１５の上端縁１５ａ側と手前側端縁１５ｂ側とにそれぞれ開口する端部がＲ面取り加工されている。
【００２７】
押し戻し部材１３は、金属製の中空の円杆部材よりなり、その長手方向の寸法が側板９，９同士の距離と略同寸に形成されている（図５参照）。また、外径は係合部１６Ａの下端部１７と係合部１６Ｂの下端部２０を構成する円弧形状の部分に遊嵌する程度の寸法となっている（図６（ｂ）参照）。
【００２８】
続いて、書籍前揃え装置１の使用態様について説明する。図４に示されるように、前出し部材１１と操作部材１２とを棚板８の上面８ａに載置する。このとき前出し部材１１は、支柱４，４の前面４ａ，４ａに後面１１ｂが当接する位置に配置する。
【００２９】
この前出し部材１１の後面１１ｂが支柱４，４の前面４ａ，４ａに当接した状態において、操作部材１２における操作部材本体１５の手前側端縁１５ｂと棚板８の手前側端縁８ｂとが鉛直方向に略重なる。即ち、前出し部材１１に操作部材１２を係合させた状態における、前出し部材１１の後面１１ｂから操作部材本体１５の手前側端縁１５ｂまでの寸法が、支柱４の前面４ａから棚板８の手前側端縁８ｂまでの寸法と略同寸となっている。
【００３０】
書架２の棚段３，３，…には、書籍Ｂを陳列する前に、予め上記した態様で書籍前揃え装置１を構成する前出し部材１１と操作部材１２とを設置しておく。
【００３１】
図５は、利用者が書籍Ｂを出し入れする度に、これらの背表紙の位置が乱れている状態を示している。このとき、前出し部材１１の後面１１ｂは、支柱４，４の前面４ａ，４ａに当接しているため、操作部材本体１５の手前側端縁１５ｂが書籍Ｂの間に埋没している場合がある。そのため、図６（ａ）に示されるように、押し戻し部材１３を操作部材１２より上方に当接させ、少なくとも操作部材本体１５の係合部１６Ａが露出するまで書籍Ｂ，Ｂ，…を後方に押し下げ、図６（ｂ）に示されるように、幅方向に離間する２つの操作部材１２，１２の係合部１６Ａ，１６Ａに押し戻し部材１３をそれぞれ係合させる。
【００３２】
続いて、図７に示されるように、係合部１６Ａに係合させた押し戻し部材１３を棚板８の前方側に引く。これにより、操作部材１２を介して前出し部材１１が前方に移動され、前出し部材１１と当接した書籍Ｂが前出し部材１１の移動に伴い前方側に前出しされる。このとき、棚板８上における前揃えすべき全ての書籍Ｂ，Ｂ，…の背表紙が棚板８の手前側端縁８ｂと面一もしくは手前側端縁８ｂよりも前方側に位置するまで書籍Ｂ，Ｂ，…を前出しする。
【００３３】
次いで、図８に示されるように、書籍Ｂ，Ｂ，…の背表紙が棚板８の手前側端縁８ｂと面一もしくは手前側端縁８ｂよりも前方側に移動させた後、今度は押し戻し部材１３を後方側に押す。
【００３４】
押し戻し部材１３は、幅方向に離間する２つの操作部材１２，１２の係合部１６Ａ，１６Ａに架けて係止させた状態で、棚板８の後方側に移動されるため、押し戻し部材１３に当接した複数冊の書籍Ｂ，Ｂ，…の背表紙の位置が直線状に並んだ状態となる。
【００３５】
押し戻し部材１３を、係合部１６Ａから離脱させる作業が行い易い位置で押し戻し作業を一旦止め、係合部１６Ａから離脱させる。尚、前出し部材１１の前面１１ａから係合部１６Ａ，１６Ｂまでの寸法が、陳列される書籍のうち、最大の奥行き寸法を有する書籍の奥行き寸法よりも大きく形成されていることが好ましい。このような寸法関係である場合には、図９に示されるように、書籍Ｂ，Ｂ，…の背表紙Ｂ１を棚板８の手前側端縁８ｂの位置もしくは手前側端縁８ｂより後方に前揃えさせるまで、押し戻し部材１３を押した（前揃え作業が完了した）後、係合部１６Ａから離脱させる。
【００３６】
最後に、図１０に示されるように、押し戻し部材１３を操作部材本体１５の手前側端縁１５ｂに当接させ、図１１に示されるように、操作部材本体１５の手前側端縁１５ｂが書籍Ｂの背表紙Ｂ１と面一になるまで操作部材１２及び前出し部材１１を押し戻し、操作部材１２を格納する。尚、上記したように、前出し部材１１の後面１１ｂから操作部材本体１５の手前側端縁１５ｂまでの寸法が、支柱４の前面４ａから棚板８の手前側端縁８ｂまでの寸法と略同寸となっているため、操作部材１２を押す際には、前出し部材１１の後面１１ｂが支柱４，４の前面４ａ，４ａに当接するまで押せば、操作部材１２の格納が完了する。
【００３７】
このように、操作部材１２を手前側に引き出すことで、棚板８の幅方向に所定の長さを有する前出し部材１１が棚板８の手前側に移動するのに伴い、奥行寸法の小さい書籍ごと複数の書籍Ｂ，Ｂ，…を一旦前出しさせ、その後、押し戻し部材１３を棚板８の奥側に移動させることで、奥行き寸法が異なる複数冊の書籍Ｂ，Ｂ，…の背表紙を押し戻し部材１３により同時に押して簡便に前揃えさせることができる。
【００３８】
また、押し戻し部材１３は、前出し部材１１の長手方向に離間する２つの操作部材１２，１２に架けて当接させることで、押し戻し部材１３が棚板の長手方向に傾きにくくなっており押し戻し部材１３を安定した状態で押すことができ、押し戻し部材１３を操作部材１２，１２に直行させ、操作部材１２，１２の延設方向に沿う方向に正確に複数の書籍Ｂ，Ｂ，…を押すことができ、複数の書籍Ｂ，Ｂ，…の背表紙の位置を正確に揃えることができる。
【００３９】
また、操作部材１２は、前出し部材１１に対して、前出し部材１１の長手方向に位置調整可能に係合されているため、棚板８上に陳列されている書籍の数や位置に応じて、前揃え作業しやすい位置に操作部材１２の位置を調整することができる。
【００４０】
また、操作部材１２は、棚板８の奥行方向に延びて自立する操作部材本体１５を備えているため、操作部材１２，１２同士の間で書籍を挟持でき、前出し作業時や前揃え作業時に書籍が立てられた状態で安定し、かかる作業を行い易い。更に、前出し部材１１と操作部材１２とは棚段３に常時設置されているため、前出し作業時や前揃え作業時以外では、操作部材１２は書籍の仕切部材として機能する。
【００４１】
また、押し戻し部材１３は、操作部材１２に上下方向に向けて形成された係合部１６Ａに係合するため、押し戻し部材１３と操作部材１２，１２との位置関係が保持され、正確に複数の書籍Ｂ，Ｂ，…を押すことができるとともに、前出し作業には押し戻し部材１３を引くことで、操作部材１２，１２を同時に引き出すことができる。更に、押し戻し部材１３が操作部材１２，１２に上下方向に向けて形成された係合部１６Ａ，１６Ａにそれぞれ係合されることで、押し戻し部材１３が前出し作業時における書籍Ｂの落下を防止する落下防止部材として機能する。
【００４２】
また、操作部材１２は、操作部材本体１５の手前側端部に、押し戻し部材１３が係合可能な係合部１６Ａと係合部１６Ｂとが上下方向に備えられており、書籍の高さ寸法に応じて押し戻し部材１３の係合位置を適宜選択することができる。
【００４３】
また、前出し部材１１は、書架２の側板９，９間の寸法と略同寸の長手方向の寸法を有しているため、前出し作業時及び前揃え作業時において、側板９，９の間で案内され、棚板の長手方向に傾くことなく略平行な安定した状態で正確に移動させることができる。更に、前出し部材１１の長手方向の寸法は、棚板８の幅寸法とほぼ同寸となっているため、棚板８上の全ての書籍を一度に引き出すことができる。
【００４４】
また、操作部材１２を構成する下向きコ字状の連結部１４が前出し部材１１に外嵌しているため、操作部材１２と前出し部材１１との相対的な水平方向の傾動が防止され、これら操作部材１２と前出し部材１１と押し戻し部材１３とによる略矩形状を維持した状態で、押し戻し部材１３を押すことができ、正確に複数の書籍Ｂ，Ｂ，…を押すことができる。
【００４５】
また、前出し部材１１に操作部材１２を係合させた状態における、前出し部材１１の後面１１ｂから操作部材本体１５の手前側端縁１５ｂまでの寸法が、支柱４の前面４ａから棚板８の手前側端縁８ｂまでの寸法（棚板８の奥行寸法）と略同寸となっているため、操作部材１２における操作部材本体１５の手前側端縁１５ｂと棚板８の手前側端縁８ｂとが鉛直方向に略重ねられた状態を初期位置としているため、書籍Ｂ，Ｂ同士の間に埋没した操作部材本体１５の手前側端部を見付けやすく、速やかに操作部材１２を利用することができる。
【実施例２】
【００４６】
次に、実施例２に係る書籍前揃え装置につき、図１１を参照して説明する。尚、前記実施例と同一構成で重複する構成の説明を省略する。
【００４７】
図１１に示される押し戻し部材１３０は、操作部材１２の係合部１６Ａ，１６Ｂにそれぞれ係合可能な長手方向に所定の寸法を有する被係合部１３１，１３２と、被係合部１３１と被係合部１３２との長手方向の複数箇所で、これらを連結する連結部１３４と、連結部１３４に形成され、被係合部１３１，１３２の鉛直方向下方に位置する案内部１３３とを備えて構成されている。
【００４８】
この押し戻し部材１３０にあっては、操作部材１２の係合部１６Ａ，１６Ｂに被係合部１３１，１３２がそれぞれ係合した状態において、案内部１３３が棚板８の手前側端縁８ｂに当接するようになっている。これによれば、押し戻し部材１３０を棚板８の後方側に移動させた際には、押し戻し部材１３０の案内部１３３が棚板８の手前側端縁８ｂに当接し、その移動が規制されるため、前出し部材１１の後面１１ｂから操作部材本体１５の手前側端縁１５ｂまでの寸法が、支柱４の前面４ａから棚板８の手前側端縁８ｂまでの寸法よりも短い場合であっても、棚板８の手前側端縁８ｂに、複数の書籍Ｂ，Ｂ，…の背表紙Ｂ１を平行に前揃えすることができる。案内部１３３を棚板８の手前側端縁８ｂに当接させると、書籍Ｂ，Ｂ，…の背表紙は棚板８の手前側端縁８ｂの位置に揃うため、前揃え作行が簡便である。
【００４９】
以上、本発明の実施例を図面により説明してきたが、具体的な構成はこれら実施例に限られるものではなく、本発明の要旨を逸脱しない範囲における変更や追加があっても本発明に含まれる。
【００５０】
例えば、前記実施例では、操作部材と前出し部材とが別体で形成されているが、これに限らず一体に形成されていてもよい。
【００５１】
また、操作部材は、前出し部材を前方に引き出せる構成であれば、どのような形状であってもよい。例えば、棚板８の奥行方向に延びる棒状部材であってもよい。
【００５２】
また、前出し部材は、操作部材により後方側に移動される態様に限らず、書籍によって後方側に移動されればよいため、操作部材には前出し部材を後方側に移動できる構造を有していなくてもよい。
【００５３】
また、前出し部材は、書籍を前方側に移動できれば、前記実施例のような杆状に限らず、例えば、板状であってもよい。更に、前出し部材は棚板８の上面８ａを摺動される構造に限らず、例えば、前出し時と前揃え時には、棚板８の上面８ａから離間するものであってもよい。
【００５４】
また、前出し部材は棚段３の側板９，９の幅方向の寸法と略同寸の長手方向の寸法を有していなくてもよく、例えば、複数の書籍を同時に移動可能なだけの長手方向の寸法を有する前出し部材を１段の棚段３に複数幅方向に配置してもよい。
【００５５】
また、操作部材は前出し部材に対して１つ係合される構成でもよいし、３つ以上の複数個係合されていてもよい。
【００５６】
また、押し戻し部材は、前記実施例の構成に限らず、例えば板状であってもよいし、長手方向の寸法は、複数の操作部材に架けて係止される複数の書籍を同時に移動可能なだけの長手方向の寸法であってもよい。
【００５７】
また、押し戻し部材は、操作部材に形成された係合部に係合される態様に限らず、例えば、係合部に代えて操作部材の手前側端縁に突起を設け、当該突起の上に押し戻し部材を係止させることで、前揃え作業時に下方向への押し戻し部材の位置ずれが生じない程度の係止構造を採用してもよい。
【００５８】
また、前出し作業時には、操作部材の手前側端部を把持すればよく、必ずしも押し戻し部材は、前出し作業時には利用されなくてもよい。尚、操作部材の操作部材本体は板体に限らず、例えば棒状の部材を矩形状に折り曲げることで構成してもよく、このようにした場合、操作部材を直接持って引き出す場合に把持し易い。
【００５９】
また、図１２に示されるように、押し戻し部材１３に磁石３０，３０を固定しておくことで、押し戻し部材１３の不使用時には、磁石３０，３０を金属製の棚板８の下面等に磁着させ、押し戻し部材１３を書籍の出し入れの邪魔にならないように書架２に保持できるようにしてもよい。
【符号の説明】
【００６０】
１                書籍前揃え装置
２                書架
３                棚段
４                支柱
４ａ              支柱前面
５                横連結杆
７                係合孔
８                棚板
８ａ              棚板上面
８ｂ              棚板手前側端縁
９                側板
１０              係止片
１１              前出し部材
１１ｂ            前出し部材後面
１２              操作部材
１３              押出し部材
１４              連結部
１５              操作部材本体
１５ｂ            操作部材本体手前側端縁
１６Ａ，１６Ｂ    係合部
Ｂ                書籍
Ｂ１              書籍背表紙
【図１】
2019083971.tif 000003
【図２】
2019083971.tif 000004
【図３】
2019083971.tif 000005
【図４】
2019083971.tif 000006
【図５】
2019083971.tif 000007
【図６】
2019083971.tif 000008
【図７】
2019083971.tif 000009
【図８】
2019083971.tif 000010
【図９】
2019083971.tif 000011
【図１０】
2019083971.tif 000012
【図１１】
2019083971.tif 000013
【図１２】
2019083971.tif 000014